(57)【特許請求の範囲】
【請求項１】
基台部と、毛髪化粧料が収容される容器体に前記基台部を接続する接続部と、前記基台部に立設される複数の櫛歯を有する櫛部とを備え、前記櫛歯は複数の主櫛歯と複数の副櫛歯とを含み、前記主櫛歯のうちの少なくとも一つは、前記毛髪化粧料の流通を許容する内部流通路と、該毛髪化粧料を吐出する吐出孔とを有し、前記容器体内の毛髪化粧料が、前記接続部の内部及び前記基台部の内部を通じて前記流通路に流入される毛髪化粧料用塗布具において、
前記複数の主櫛歯は、各吐出孔の吐出方向に隣り合う主櫛歯が存在するよう配列され、
前記副櫛歯は、隣り合う両主櫛歯の基端部によって囲まれる基台部上の仮想領域内に立設され、
前記副櫛歯は、前記主櫛歯の配列方向と直交する方向において、前記吐出孔に対してずれて配置されていることを特徴とする塗布具。
【請求項２】
前記各主櫛歯の基端部は、該主櫛歯の配列方向と直交する方向において一対の側縁部を有し、前記仮想領域は、隣り合う両主櫛歯の基端部と、両基端部の側縁部同士を結ぶ接線とによって囲まれる領域であることを特徴とする請求項１に記載の塗布具。
【請求項３】
前記仮想領域は、前記主櫛歯の配列方向と直交する方向において所定の幅を有し、前記副櫛歯は、前記仮想領域中に定められる特定領域内に立設され、その特定領域は、前記仮想領域の全幅の４５％以内の幅を有するように該仮想領域の幅方向端部から内側に向かって広がることを特徴とする請求項１又は２に記載の塗布具。
【請求項４】
前記仮想領域は、前記主櫛歯の配列方向と直交する方向において所定の幅を有し、隣り合う両主櫛歯の間には、前記仮想領域の幅方向中心を挟んで対向するように一対の副櫛歯が設けられることを特徴とする請求項１〜３の何れか一項に記載の塗布具。
【請求項５】
隣り合う両主櫛歯とこれら両主櫛歯間に位置する一対の副櫛歯とは、前記吐出孔から吐出される毛髪化粧料を保持するための保持空間を形成することを特徴とする請求項４に記載の塗布具。
【請求項６】
前記吐出孔は、前記主櫛歯の先端よりも基台部寄りに設けられ、前記副櫛歯の先端は、前記吐出孔よりも主櫛歯の先端側へ所定間隔離間した高さ位置と、前記吐出孔よりも主櫛歯の基端側へ前記所定間隔離間した高さ位置との間の範囲内に位置しており、前記所定間隔は、前記吐出孔の径と同一であることを特徴とする請求項１〜５の何れか一項に記載の塗布具。
【請求項７】
前記主櫛歯と前記副櫛歯とは、前記主櫛歯の配列方向に沿って交互に配置されていることを特徴とする請求項１〜６の何れか一項に記載の塗布具。
【請求項８】
前記各主櫛歯の基端部は、主櫛歯の配列方向と直交する方向において所定の幅を有し、その基端部の幅は、主櫛歯の配列方向における中央に位置する主櫛歯から同配列方向における端部に位置する主櫛歯に向かって順次小さくなることを特徴とする請求項１〜７の何れか一項に記載の塗布具。
【請求項９】
毛髪化粧料が収容される容器体と、前記容器体に取り付けられる基台部と、前記基台部に立設される複数の櫛歯を有する櫛部とを備え、前記櫛歯は複数の主櫛歯と複数の副櫛歯とを含み、前記主櫛歯のうちの少なくとも一つは、前記毛髪化粧料の流通を許容する内部流通路と、該毛髪化粧料を吐出する吐出孔とを有し、前記容器体内の毛髪化粧料が、前記基台部の内部を通じて前記流通路に流入される塗布具付き容器において、
前記複数の主櫛歯は、各吐出孔の吐出方向に隣り合う主櫛歯が存在するよう配列され、
前記副櫛歯は、隣り合う両主櫛歯の基端部によって囲まれる基台部上の仮想領域内に立設され、
前記副櫛歯は、前記主櫛歯の配列方向と直交する方向において、前記吐出孔に対してずれて配置されていることを特徴とする塗布具付き容器。
【発明の詳細な説明】
【技術分野】
【０００１】
本発明は、毛髪化粧料等の薬液を頭髪に塗布するために使用される塗布具及びそのような塗布具を備えた容器に関するものである。
【背景技術】
【０００２】
従来、この種の毛髪化粧料用塗布具としては、複数の櫛歯を有する櫛部と、櫛歯が立設される基台部と、毛髪化粧料が収容される容器に基台部を接続する接続部とを備えたものが知られている（例えば特許文献１参照）。この特許文献１に記載の塗布具において、櫛歯は、毛髪化粧料を吐出する吐出孔を有する複数の主櫛歯と、中実の細い棒状を呈する複数の副櫛歯とを含む。主櫛歯は一対の主櫛歯列を形成し、副櫛歯は一対の副櫛歯列を形成している。これら一対の副櫛歯列は、一対の主櫛歯列を挟むようにして該一対の主櫛歯列の外側に配置されている。【０００３】
通常、塗布具を用いて毛髪化粧料を頭髪に塗布する際には、吐出孔から吐出された毛髪化粧料の液だれが生じることが少なくない。こうした毛髪化粧料の液だれが生じると、該毛髪化粧料を頭髪に十分に塗布することができないばかりか、毛髪化粧料によって衣服等が汚される可能性がある。そこで、各主櫛歯の吐出孔から吐出された毛髪化粧料が頭髪に塗布されるまでの間、毛髪化粧料を主櫛歯間に保持して毛髪化粧料の液だれを規制する必要がある。【０００４】
上記特許文献１に記載の塗布具においては、副櫛歯列が一対の主櫛歯列の外側に配置されているため、副櫛歯列を構成する副櫛歯は、吐出孔から吐出された毛髪化粧料の頭髪への流動に対しては抵抗物となり得る。しかしながら、この塗布具においても、吐出孔から吐出された毛髪化粧料を主櫛歯間に保持することは困難であり、毛髪化粧料の液だれを抑制するには不十分であった。従って、特許文献１の塗布具における、毛髪化粧料を保持する保持力についての検討は不十分であるというほかなく、これに関しては依然として改良の余地を残すものとなっていた。
【特許文献１】特開２００４−３１３５８８号公報
【発明の開示】
【発明が解決しようとする課題】
【０００５】
本発明の目的は、毛髪化粧料の保持力を向上させることのできる塗布具及び塗布具付き容器を提供することにある。
【課題を解決するための手段】
【０００６】
上記の目的を達成するために、本発明は、基台部と、毛髪化粧料が収容される容器体に前記基台部を接続する接続部と、前記基台部に立設される複数の櫛歯を有する櫛部とを備え、前記櫛歯は複数の主櫛歯と複数の副櫛歯とを含み、前記主櫛歯のうちの少なくとも一つは、前記毛髪化粧料の流通を許容する内部流通路と、該毛髪化粧料を吐出する吐出孔とを有し、前記容器体内の毛髪化粧料が、前記接続部の内部及び前記基台部の内部を通じて前記流通路に流入される毛髪化粧料用塗布具において、前記複数の主櫛歯は、各吐出孔の吐出方向に隣り合う主櫛歯が存在するよう配列され、前記副櫛歯は、隣り合う両主櫛歯の基端部によって囲まれる基台部上の仮想領域内に立設され、前記副櫛歯は、前記主櫛歯の配列方向と直交する方向において、前記吐出孔に対してずれて配置されていることを要旨とする。
【０００７】
本発明によれば、吐出孔から吐出された毛髪化粧料は、隣り合う両主櫛歯とこれら両主櫛歯の間に位置する副櫛歯とによって、仮想領域内に保持される。従って、吐出孔から毛髪化粧料が吐出されてから該毛髪化粧料が頭髪に塗布されるまでの間、前記仮想領域外への毛髪化粧料の流動が規制され、毛髪化粧料の液だれが好適に抑制される。【０００８】
詳細には、前記各主櫛歯の基端部は、該主櫛歯の配列方向と直交する方向において一対の側縁部を有し、前記仮想領域は、隣り合う両主櫛歯の基端部と、両基端部の側縁部同士を結ぶ接線とによって囲まれる領域である。【０００９】
好ましくは、前記仮想領域は、前記主櫛歯の配列方向と直交する方向において所定の幅を有し、前記副櫛歯は、前記仮想領域中に定められる特定領域内に立設され、その特定領域は、前記仮想領域の全幅の４５％以内の幅を有するように該仮想領域の幅方向端部から内側に向かって広がる。【００１０】
仮に、各副櫛歯が、前記特定領域を外れた仮想領域の部位に立設されている場合には、副櫛歯が吐出孔に近接することとなる。この場合、吐出孔から吐出される毛髪化粧料の流動がこの副櫛歯により規制され、毛髪化粧料を頭髪に塗布するに際し該毛髪化粧料が頭髪側へ円滑に流動しなくなる可能性がある。これに対し、各副櫛歯を前記特定領域内に立設すれば、毛髪化粧料が副櫛歯に干渉することなく吐出孔から吐出されて、頭髪に円滑に供給される。
【００１１】
好ましくは、前記仮想領域は、前記主櫛歯の配列方向と直交する方向において所定の幅を有し、隣り合う両主櫛歯の間には、前記仮想領域の幅方向中心を挟んで対向するように一対の副櫛歯が設けられる。【００１２】
このようにすれば、主櫛歯の配列方向と直交する方向に沿ってコーミングする場合、一対の主櫛歯間に供給された毛髪化粧料が副櫛歯から受ける流動抵抗は、コーミング方向におけるいずれの方向においても同一となる。これは、塗布具の使用に際しての利便性を向上させる。【００１３】
隣り合う両主櫛歯とこれら両主櫛歯間に位置する一対の副櫛歯とは、前記吐出孔から吐出される毛髪化粧料を保持するための保持空間を形成する。よって、吐出孔から吐出された毛髪化粧料は保持空間に保持され、液だれが好適に抑制される。【００１４】
好ましくは、前記吐出孔は、前記主櫛歯の先端よりも基台部寄りに設けられ、前記副櫛歯の先端は、前記吐出孔よりも主櫛歯の先端側へ所定間隔離間した高さ位置と、前記吐出孔よりも主櫛歯の基端側へ前記所定間隔離間した高さ位置との間の範囲内に位置しており、前記所定間隔は、前記吐出孔の径と同一である。【００１５】
副櫛歯の先端をこのような高さ位置の範囲に位置させることにより、コーミングする際の副櫛歯への頭髪の絡まりが抑制されつつ、吐出孔から吐出される毛髪化粧料が一層好適に保持される。【００１６】
前記主櫛歯と前記副櫛歯とは、前記主櫛歯の配列方向に沿って交互に配置されるのが好ましい。
また、前記各主櫛歯の基端部は、主櫛歯の配列方向と直交する方向において所定の幅を有し、その基端部の幅は、主櫛歯の配列方向における中央に位置する主櫛歯から同配列方向における端部に位置する主櫛歯に向かって順次小さくなるようにしてもよい。【００１７】
本発明はまた、毛髪化粧料が収容される容器体と、前記容器体に取り付けられる基台部と、前記基台部に立設される複数の櫛歯を有する櫛部とを備え、前記櫛歯は複数の主櫛歯と複数の副櫛歯とを含み、前記主櫛歯のうちの少なくとも一つは、前記毛髪化粧料の流通を許容する内部流通路と、該毛髪化粧料を吐出する吐出孔とを有し、前記容器体内の毛髪化粧料が、前記基台部の内部を通じて前記流通路に流入される塗布具付き容器において、前記複数の主櫛歯は、各吐出孔の吐出方向に隣り合う主櫛歯が存在するよう配列され、前記副櫛歯は、隣り合う両主櫛歯の基端部によって囲まれる基台部上の仮想領域内に立設され、前記副櫛歯は、前記主櫛歯の配列方向と直交する方向において、前記吐出孔に対してずれて配置されていることを要旨とする。
【図面の簡単な説明】
【００１８】
【図１】本発明の一実施形態に係る毛髪化粧料用塗布具を示す斜視図。
【図２】図１の塗布具の一部破断正面図。
【図３】図３（ａ）は図２の３ａ−３ａ線における断面図、図３（ｂ）は図３（ａ）の櫛部の部分拡大断面図。
【図４】図２の塗布具の側断面図。
【図５】図５（ａ）〜図５（ｆ）はそれぞれ別例に係る櫛部を示す平断面図。
【発明を実施するための最良の形態】
【００１９】
以下、本発明の一実施形態に係る毛髪化粧料用塗布具１１を図面に基づいて説明する。
図１及び図２に示すように、塗布具１１は、毛髪化粧料を収容する有底円筒状の容器体１２の上端部に螺合によって取付けられて、該容器体１２の上端開口部を閉鎖する。【００２０】
塗布具１１の下部には、円筒状をなす接続部１４が設けられている。接続部１４の上方には、円筒状の絞り部１５を介して、平面視略長四角形状に形成されてなる中空の基台部１６が設けられている。この基台部１６の上方には櫛部１７が設けられている。該櫛部１７は複数の主櫛歯２１及び複数の副櫛歯２４を有し、それら櫛歯２１，２４は容器体１２の軸線１２ａに沿って基台部１６から上方に向かって延びるように、該基台部１６上に立設されている。接続部１４を容器体１２の上端部に螺合することにより、基台部１６及び櫛部１７が容器体１２に接続される。【００２１】
図３（ａ）に示すように、複数の主櫛歯２１は一つの主櫛歯列２２を形成するように配列され、複数の副櫛歯２４は第１副櫛歯列２５及び第２副櫛歯列２６を形成するように配列されている。【００２２】
図３（ａ）に示すように、前記主櫛歯列２２は、９枚の主櫛歯２１を前記基台部１６の長手方向Ｌに沿って等間隔に一列に配列することによって形成される。各主櫛歯２１の基端部（基台部１６に連結される部分）は、該主櫛歯２１の配列方向と直交する方向において一対の側縁部（最外側部）２１ｂを有する。全ての主櫛歯２１の基端部における側縁部２１ｂ同士を結ぶ接線Ｔが、基台部１６の長手方向Ｌに沿って延びる直線となるように、主櫛歯２１は配列される。【００２３】
図１〜図４に示すように、主櫛歯２１は略三角板状に形成され、基台部１６の長手方向Ｌと直交する方向、すなわち基台部１６の短手方向Ｓにおいて所定の幅を有する。コーミングに際しては、櫛部１７は主櫛歯２１の幅方向に沿って移動させられる。なお、コーミングの際の櫛部１７の移動方向を、コーミング方向と称する。各主櫛歯２１の長さｈは凡そ２３ｍｍに設定され、各主櫛歯２１の基端部における幅ｐは凡そ１１ｍｍに設定されている。各主櫛歯２１の厚みは２．６２±０．５ｍｍに設定されている。【００２４】
図２及び図３（ａ）に示すように、９枚の主櫛歯２１のうち、主櫛歯列２２の両端にそれぞれ２枚ずつ位置する計４枚の主櫛歯２１を除いた５枚の主櫛歯２１の各々には、容器体１２内に収容される毛髪化粧料を吐出するための吐出孔２１ａが、外部に向けて開口するように形成されている。吐出孔２１ａは、対応する主櫛歯２１を貫通するように、基台部１６の長手方向Ｌに沿って延びている。吐出孔２１ａは、主櫛歯２１の先端よりも基台部１６寄り（主櫛歯２１の基端部寄り）の部位において、該主櫛歯２１の幅方向中央部に位置している。吐出孔２１ａの径は凡そ２ｍｍに設定されている。この吐出孔２１ａとそれに対応する主櫛歯２１の先端との間隔ｄ１は、毛髪の生え際付近に毛髪化粧料を十分に塗布し得るように、３〜１０ｍｍ、好ましくは５〜７ｍｍに設定されている。なお、主櫛歯列２２の両端にそれぞれ２枚ずつ位置する計４枚の主櫛歯２１にも、前記吐出孔２１ａと同様の孔が形成されている。【００２５】
吐出孔２１ａを有する５枚の主櫛歯２１の各々には、吐出孔２１ａに繋がる内部連通路２１ｃが形成されている。連通路２１ｃは、対応する吐出孔２１ａを容器体１２の内部に連通させる。容器体１２から接続部１４の内部及び基台部１６の内部を通じて連通路２１ｃに流入された毛髪化粧料が、吐出孔２１ａを通じて吐出される。【００２６】
図３（ａ）に示すように、前記第１副櫛歯列２５及び前記第２副櫛歯列２６は、基台部１６の短手方向Ｓ（主櫛歯２１の配列方向と直交する方向）において互いに離間している。第１及び第２副櫛歯列２５，２６の各々は、８つの副櫛歯２４を前記基台部１６の長手方向Ｌに沿って等間隔に一列に配列することによって形成される。【００２７】
副櫛歯２４は、中実の細い棒状を呈しており、その直径は１．４±０．２８ｍｍに設定されている。また、図３（ａ）に示すように、各副櫛歯列２５，２６を構成する副櫛歯２４と、前記主櫛歯列２２を構成する主櫛歯２１とは、基台部１６の長手方向Ｌ（主櫛歯２１の配列方向）に沿って交互に配置されている。図３（ａ）及び図３（ｂ）に示すように、隣り合う両主櫛歯２１間には、第１副櫛歯列２５を構成する副櫛歯２４のうちの一つと、第２副櫛歯列２６を構成する副櫛歯２４のうちの一つとが配置されている。隣り合う両主櫛歯２１間に位置する一対の副櫛歯２４は、主櫛歯２１の幅方向中央部を挟んで対向している。【００２８】
各副櫛歯２４は、隣り合う一対の主櫛歯２１間に位置する基台部１６の部位から延びている。すなわち、各副櫛歯２４は、隣り合う一対の主櫛歯２１の基端部によって囲まれる基台部１６上の仮想領域Ｒ１内に立設されている。具体的には、この仮想領域Ｒ１は、隣接する両主櫛歯２１の基端部と、両基端部の側縁部２１ｂ同士を結ぶ前記接線Ｔとによって囲まれる領域である。よって、基台部１６の短手方向Ｓにおける仮想領域Ｒ１の幅は、主櫛歯２１の基端部における幅ｐ（凡そ１１ｍｍ）と等しい。好ましくは、各副櫛歯２４は、前記仮想領域Ｒ１中に定められる帯領域（特定領域）Ｒ２内に立設される。この帯領域Ｒ２は図３（ｂ）に斜線領域として示されており、仮想領域Ｒ１の全幅（すなわち幅ｐ）の４５％以内、より好ましくは２５％以内の幅を有するように、該仮想領域Ｒ１の幅方向端部から内側に向かって広がる。なお、「副櫛歯２４が帯領域Ｒ２内に立設される」とは、副櫛歯２４の基端部の全部分が帯領域Ｒ２内に位置することを意味する。【００２９】
副櫛歯２４が前記帯領域Ｒ２以外の仮想領域Ｒ１の部位に立設されている場合、すなわち、副櫛歯２４が、仮想領域Ｒ１の幅方向端部から該仮想領域Ｒ１の全幅の４５％を超える内側領域に立設されている場合には、隣り合う両主櫛歯２１間に位置する一対の副櫛歯２４が吐出孔２１ａに近接するとともに、これら一対の副櫛歯２４同士も近接する。この場合、吐出孔２１ａから吐出される毛髪化粧料の流動が、前記一対の副櫛歯２４によって吐出孔２１ａの近傍で規制されてしまい、毛髪化粧料を頭髪に塗布するに際し該毛髪化粧料が頭髪側へスムーズに流動しなくなる可能性が高い。【００３０】
図２に示すように、各副櫛歯２４の先端の高さ位置は、吐出孔２１ａの高さ位置とほぼ同じである。なお、各副櫛歯２４の先端は、吐出孔２１ａよりも主櫛歯２１の先端側へ所定間隔ｄ２離間した高さ位置Ａ１と、吐出孔２１ａよりも主櫛歯２１の基端側へ同じく所定間隔ｄ２離間した高さ位置Ａ２との間の範囲内に位置していればよい。所定間隔ｄ２は、吐出孔２１ａの径（２ｍｍ）と同程度にするのが好ましい。【００３１】
すなわち、各副櫛歯２４の先端は、吐出孔２１ａと主櫛歯２１の先端との間隔ｄ１及び吐出孔２１ａの径を考慮した場合、主櫛歯２１の先端よりも１〜１４ｍｍの範囲内で該主櫛歯２１の基端部寄りに位置するのが好ましい。換言すると、各副櫛歯２４の先端は、前記主櫛歯２１の長さｈ（凡そ２３ｍｍ）の４〜６５％の範囲内で、該主櫛歯２１の先端よりも基端部寄りに位置するのが好ましい。本実施形態では、各副櫛歯２４の先端は、吐出孔２１ａの中心軸（一点鎖線２８を参照）と同一の高さに位置している。【００３２】
前記各副櫛歯２４の先端が、吐出孔２１ａよりも主櫛歯２１の先端側へ前記所定間隔ｄ２（２ｍｍ）を超えて延びている場合、すなわち、副櫛歯２４の先端が前記主櫛歯２１の長さｈの４％未満の範囲内で該主櫛歯２１の先端よりも基端部寄りに位置する場合には、毛髪化粧料を頭髪に塗布するに際して各副櫛歯２４に頭髪が絡まりやすくなる。【００３３】
一方、前記各副櫛歯２４の先端が、吐出孔２１ａよりも主櫛歯２１の基端側へ前記所定間隔ｄ２（２ｍｍ）を超えて引っ込んでいる場合、すなわち、副櫛歯２４の先端が前記主櫛歯２１の長さｈの６５％を超える範囲内で該主櫛歯２１の先端よりも基端部寄りに位置する場合には、以下の不都合が生じうる。すなわち、副櫛歯２４の長さが主櫛歯２１の長さｈに対して極度に短くなるため、該副櫛歯２４は、吐出孔２１ａから吐出された毛髪化粧料の流動に対して抵抗物とはなり得ず、その結果、毛髪化粧料の液だれを招く可能性がある。また、頭髪を梳く際の抵抗感が低下する可能性もある。【００３４】
次に、上記のように構成された毛髪化粧料用塗布具１１の作用を説明する。
塗布具１１を使用して頭髪に毛髪化粧料を塗布する場合には、容器体１２の内部に毛髪化粧料を充填した後、その容器体１２に塗布具１１を接続する。そして、容器体１２をスクイズしながら櫛部１７で頭髪をコーミングすることによって、頭髪の表面に毛髪化粧料が塗布される。【００３５】
吐出孔２１ａから毛髪化粧料が吐出されてから該毛髪化粧料が頭髪に塗布されるまでの間、毛髪化粧料の液だれが問題となる。そこで、本実施形態では、隣り合う一対の主櫛歯２１間に副櫛歯２４を設けて、該隣り合う一対の主櫛歯２１間に毛髪化粧料を保持することにより、前記液だれを抑制するようにしている。【００３６】
すなわち、本実施形態では、容器体１２をスクイズした際、隣り合う一対の主櫛歯２１間、より詳しくは隣り合う一対の主櫛歯２１とこれら一対の主櫛歯２１間に位置する一対の副櫛歯２４とにより形成される保持空間内に、毛髪化粧料が吐出孔２１ａから吐出される。このようにして吐出された毛髪化粧料は、隣り合う一対の主櫛歯２１間から該主櫛歯２１の幅方向（基台部１６の短手方向Ｓ）外方へ流動しようとするが、前記隣り合う一対の主櫛歯２１間に位置する副櫛歯２４によりその流動が規制される。そして、その規制された毛髪化粧料は、隣り合う一対の主櫛歯２１とこれら一対の主櫛歯２１間に位置する副櫛歯２４とにより四方から保持される。これにより、毛髪化粧料が吐出されてから該毛髪化粧料が頭髪に塗布されるまでの一定時間、毛髪化粧料は隣り合う一対の主櫛歯２１間（仮想領域Ｒ１内）に保持される。その結果、毛髪化粧料の液だれが好適に抑制される。【００３７】
次いで、上述のように櫛部１７で頭髪をコーミングすることによって、隣り合う一対の主櫛歯２１間で保持されていた毛髪化粧料が頭髪に塗布される。
従って、本実施形態では、吐出孔２１ａから吐出された毛髪化粧料が液だれすることがほとんどない。さらに、吐出孔２１ａから吐出された毛髪化粧料のほとんどを頭髪に塗布することができるようになるため、該毛髪化粧料を頭髪に効率良く塗布することができる。【００３８】
また、本実施形態では、隣り合う両主櫛歯２１間に位置する一対の副櫛歯２４が、主櫛歯２１の幅方向中央部、言い換えれば基台部１６の短手方向Ｓ（コーミング方向）における仮想領域Ｒ１の中心Ｃを挟んで対向している。そのため、櫛部１７で頭髪をコーミングするに際し、そのコーミング方向におけるいずれの方向においても、主櫛歯２１に対する副櫛歯２４の位置関係が同じとなる。よって、毛髪化粧料が副櫛歯２４から受ける流動抵抗は、櫛部１７のコーミング方向におけるいずれの方向においても同一となる。【００３９】
従って、上記塗布具１１では、コーミングに際しての櫛部１７の移動方向は主櫛歯２１の幅方向に沿った方向であれば何れでもよく、使用に際しての利便性が高くなる。さらに、塗布具１１の使用態様に拘わらず、毛髪化粧料が良好に保持される。【００４０】
前記の実施形態によって発揮される効果について、以下に記載する。
本実施形態の塗布具１１は、隣り合う一対の主櫛歯２１の基端部によって囲まれる基台部１６の仮想領域Ｒ１内に副櫛歯２４を有している。このため、毛髪化粧料が吐出された際、まず、隣り合う一対の主櫛歯２１間からの毛髪化粧料の流動が副櫛歯２４によって規制され、その後、前記隣り合う一対の主櫛歯２１と副櫛歯２４との協働により毛髪化粧料が隣り合う一対の主櫛歯２１間で保持される。従って、吐出孔２１ａから毛髪化粧料が吐出されてから該毛髪化粧料が頭髪に塗布されるまでの間、毛髪化粧料の液だれを好適に抑制することができる。【００４１】
各副櫛歯２４は、仮想領域Ｒ１中に定められる帯領域Ｒ２内に立設され、その帯領域Ｒ２は、仮想領域Ｒ１の全幅の４５％以内の幅を有するように、該仮想領域Ｒ１の幅方向端部から内側に向かって広がる。このため、各副櫛歯２４が仮想領域Ｒ１において前記帯領域Ｒ２以外の部位に立設されている場合と比較して、それぞれの副櫛歯２４が吐出孔２１ａから離間している。すなわち、各副櫛歯２４は、主櫛歯２１の配列方向と直交する方向において、吐出孔２１ａに対してずれて配置されている。従って、吐出孔２１ａからの毛髪化粧料の吐出が副櫛歯２４により阻害されることがなく、頭髪に対して毛髪化粧料を円滑に供給することができる。【００４２】
各副櫛歯列２５，２６を構成する副櫛歯２４と、主櫛歯列２２を構成する主櫛歯２１とは、基台部１６の長手方向Ｌに沿って交互に配列されている。しかも、隣り合う主櫛歯２１間に位置する一対の副櫛歯２４は、基台部１６の短手方向Ｓ（コーミング方向）において対向して立設されている。そのため、櫛部１７のコーミング方向におけるいずれの方向においても、毛髪化粧料が副櫛歯２４から受ける流動抵抗は同一となる。従って、上記塗布具１１では、コーミングに際しての櫛部１７の移動方向が一方向に限定されず、使用の際の利便性を向上させることができる。【００４３】
副櫛歯２４の先端の高さ位置は、吐出孔２１ａの高さ位置とほぼ同じである。これは、毛髪化粧料の保持力の低下を抑制しつつ、毛髪化粧料を頭髪に塗布する際に副櫛歯２４への頭髪の絡まりを抑制する。【００４４】
吐出孔２１ａは主櫛歯２１の先端近傍に設けられているので、頭髪の生え際付近にまで毛髪化粧料を十分に塗布することが可能となる。
なお、上記実施形態は、次のように変更して具体化することも可能である。【００４５】
上記実施形態では、隣り合う主櫛歯２１間に位置する一対の副櫛歯２４を、基台部１６の短手方向Ｓに沿った線上に配置したが、これら一対の副櫛歯２４の位置関係は、同一対の副櫛歯２４が仮想領域Ｒ１の中心Ｃを挟んで対向している限り、特に限定されるものではない。例えば、図５（ａ）に示すように、隣り合う主櫛歯２１間に位置する一対の副櫛歯２４を、基台部１６の短手方向Ｓに対して所定角度傾斜する線上（前記仮想領域Ｒ１の中心Ｃを通る対角線上）に配置してもよい。【００４６】
上記実施形態では、隣り合う主櫛歯２１間に位置する副櫛歯２４の数は一対のみであったが、これを二対又はそれ以上としてもよい。このような構成とした場合、図５（ｂ）に示すように、吐出孔２１ａを有する主櫛歯２１の隣接するもの同士の間に二対以上の副櫛歯２４を設ける構成とするのが好ましい。これにより、吐出孔２１ａから吐出された毛髪化粧料の保持力を向上させることができる。【００４７】
上記実施形態では、主櫛歯列２２を構成する主櫛歯２１と両副櫛歯列２５，２６の各々を構成する副櫛歯２４とを、基台部１６の長手方向Ｌにおいて交互に配列させたが、主櫛歯２１と副櫛歯２４との配列関係はこれに限定されるものではない。例えば、図５（ｃ）に示すように、特定の主櫛歯２１Ａとこれに隣接する主櫛歯２１Ｂとの間には副櫛歯２４を設けないようにしてもよい。【００４８】
図５（ｄ）に示すように、第１副櫛歯列２５を構成する副櫛歯２４と第２副櫛歯列２６を構成する副櫛歯２４とを、基台部１６の長手方向Ｌにおいて隣り合う主櫛歯２１間に交互に設ける構成を採用してもよい。すなわち、副櫛歯２４を、基台部１６の長手方向Ｌにおいて千鳥状に配置する構成を採用してもよい。【００４９】
第１副櫛歯列２５及び第２副櫛歯列２６のいずれか一方を省略してもよい。この場合、省略されていない方の副櫛歯列２５又は２６がコーミング方向の後側に位置するように塗布具を使用することにより、毛髪化粧料についての所望の保持力が得られるようになる。【００５０】
主櫛歯列２２及び両副櫛歯列２５，２６を含む組を、複数組設ける構成を採用してもよい。
上記実施形態では、主櫛歯列２２を構成する全ての主櫛歯２１の基端部の幅ｐを同一としたが、図５（ｅ）に示すように、主櫛歯列２２の中央に位置する主櫛歯２１から主櫛歯列２２の端部に位置する主櫛歯２１に向かって基端部の幅ｐを順次小さくする構成としてもよい。このような構成とした場合、幅ｐの狭い主櫛歯２１、すなわち主櫛歯列２２の端部側に位置する主櫛歯２１によって、頭髪の生え際等のような比較的コーミングし難い部位が好適にコーミングされる。そのため、頭髪の全域に亘って毛髪化粧料を十分且つ均一に塗布することが可能となる。【００５１】
図５（ｆ）に示すように、主櫛歯列２２を構成する主櫛歯２１を、基台部１６の長手方向Ｌにおいて千鳥状に配列してもよい。
吐出孔２１ａから吐出された毛髪化粧料の保持力の低下を抑制することが可能である限り、隣り合う一対の主櫛歯２１間に位置する一対の副櫛歯２４は、仮想領域Ｒ１の中心Ｃを挟んで対向配置される必要はない。【００５２】
基台部１６の形状は平面視略長四角形状に限定されるものではなく、これを例えば平面視正四角形状に変更してもよい。
絞り部１５を省略し、基台部１６が接続部１４に直接的に繋がる塗布具１１を採用してもよい。
【図１】
0004667452.tif 000002
【図２】
0004667452.tif 000003
【図３】
0004667452.tif 000004
【図４】
0004667452.tif 000005
【図５】
0004667452.tif 000006